(57)【要約】【課題】小規模かつ広域に点在する施設を有する複数のユーザに対して、これらの施設を安価にかつ効率的に監視することを可能にするためのデータ収集システム、及びサービス情報提供システムを提供する。【解決手段】現場施設にある機器やセンサからのデータをデータ収集（及び出力）装置１０１で収集し、パケット通信網１０を介してデータ収集（及び出力）サーバ２に送信する。収集されたデータはサーバ１で加工され、インターネット網２０を介して、サービス情報閲覧（及び操作）端末２０１に提供される。データ収集（及び出力）装置１０１から送信されるデータを、データの種別及び種別毎のデータの点数が固定された固定長のデータとして、１つのパケット中に含めて送信する。これにより、サーバ２では、全てのデータ収集（及び出力）装置１０１を同列の扱いとすることができ、安価で効率的なシステムとすることができる。【選択図】図１
2008003881.tif 000002
【特許請求の範囲】
【請求項１】
現場の各施設の状態に関するデータを収集する複数のデータ収集装置と、
第１の通信網を介して前記複数のデータ収集装置の各々と接続され、データ収集装置から送信されたデータを受信し、所定の領域に格納する第１のサーバと、
前記第１のサーバに格納されたデータを取り出し、サービス情報として加工する第２のサーバと、
第２の通信網を介して接続されたサービス情報閲覧用端末からのサービス情報の閲覧要求を受け付け、前記第２のサーバからサービス情報を取得して、前記サービス情報閲覧用端末にサービス情報を提供する第３のサーバと
を備え、
前記複数のデータ収集装置の各々は、収集したデータを、データの種別及び種別毎のデータの点数が固定された固定長のデータとして、１つのパケット中に含めて前記第１のサーバに送信するものであることを特徴とするサービス情報提供システム。
【請求項２】
請求項１に記載のサービス情報提供システムにおいて、前記複数のデータ収集装置の各々は、収集したデータを、データの種別及び種別毎のデータの点数が固定された第１の固定長のデータ、またはデータの種別及び種別毎のデータの点数が固定された、第１の固定長のデータとは異なる第２の固定長のデータとして、１つのパケット中に含めて送信するとともに、前記第１の固定長のデータと前記第２の固定長のデータとを区別するための識別パケットを予め送信するものであることを特徴とするサービス情報提供システム。
【請求項３】
請求項１または請求項２に記載のサービス情報提供システムにおいて、前記複数のデータ収集装置の各々は、１つのパケット中に、前記データと、通信上必要な情報のみを含めて送信するものであることを特徴とするサービス情報提供システム。
【請求項４】
請求項１乃至請求項３のいずれかに記載のサービス情報提供システムにおいて、前記データ収集装置から前記第１のサーバへの接続は、異常発生時、もしくは状態変化生時に為されるものであることを特徴とするサービス情報提供システム。
【請求項５】
請求項１乃至請求項３のいずれかに記載のサービス情報提供システムにおいて、前記データ収集装置から前記第１のサーバへの接続は、一定周期毎、もしくは前記第１のサーバからのデータ取得要求時に為されるものであることを特徴とするサービス情報提供システム。
【請求項６】
現場の各施設の状態に関するデータを収集するとともに現場の各施設に指令データを出力する複数のデータ収集及び出力装置と、
第１の通信網を介して前記複数のデータ収集及び出力装置の各々と接続される第１のサーバと、
前記第１のサーバに接続される第２のサーバと、
前記第２のサーバに接続される第３のサーバと、
第２の通信網を介して前記第３のサーバに接続されるサービス情報閲覧及び操作用端末と
を備え、
前記第１のサーバは、前記データ収集及び出力装置から送信されたデータを受信し、所定の領域に格納するとともに、前記第２のサーバから供給された指令データを前記データ収集及び出力装置に送信するものであり、
前記第２のサーバは、前記第１のサーバに格納されたデータを取り出し、サービス情報として加工するとともに、前記第３のサーバから供給される指令情報に基づいて指令データを作成し、前記第１のサーバに供給するものであり、
前記第３のサーバは、前記サービス情報閲覧及び操作用端末からのサービス情報の閲覧要求を受け付け、前記第２のサーバからサービス情報を取得して、前記サービス情報閲覧及び操作用端末にサービス情報を提供するとともに、前記サービス情報閲覧及び操作用端末からの指令情報を受け付け、受け付けた指令情報を第２のサーバに供給するものであり、
かつ、前記複数のデータ収集及び出力装置の各々は、収集したデータを、データの種別及び種別毎のデータの点数が固定された固定長のデータとして、１つのパケット中に含めて前記第１のサーバに送信し、前記第１のサーバは、前記指令データを、データの種別及び種別毎のデータの点数が固定された固定長の指令データとして、１つのパケット中に含めて前記データ収集及び出力装置に送信することを特徴とするサービス情報提供システム。
【請求項７】
現場の各施設の状態に関するデータを収集する複数のデータ収集装置と、
通信網を介して前記複数のデータ収集装置の各々と接続され、データ収集装置から送信されたデータを受信し、所定の領域に格納するサーバと
を備え、
前記複数のデータ収集装置の各々は、収集したデータを、データの種別及び種別毎のデータの点数が固定された固定長のデータとして、１つのパケット中に含めて前記サーバに送信するものであることを特徴とするデータ収集システム。
【請求項８】
請求項７に記載のデータ収集システムにおいて、前記複数のデータ収集装置の各々は、収集したデータを、データの種別及び種別毎のデータの点数が固定された第１の固定長のデータ、またはデータの種別及び種別毎のデータの点数が固定された、第１の固定長のデータとは異なる第２の固定長のデータとして、１つのパケット中に含めて送信するとともに、前記第１の固定長のデータと前記第２の固定長のデータとを区別するための識別パケットを予め送信するものであることを特徴とするデータ収集システム。
【発明の詳細な説明】
【技術分野】
【０００１】
本発明は、上下水道施設等におけるプロセスデータやイベントデータといった各種データを収集するデータ収集システム、及び収集したデータを利用して各種サービス情報を提供し、また必要に応じて制御のための指令のデータを出力するサービス情報提供システムに関するものである。
【背景技術】
【０００２】
上下水道施設においては、その施設の運転、制御、監視を行うために、監視制御装置あるいはプロセスコントローラが設置されている。監視制御装置やプロセスコントローラでは、各機器の運転状態、故障状態等のデジタル信号、また水位、流量等といったアナログ信号の状況を記録したプロセスデータやイベントデータの蓄積や管理を行っている。
【０００３】
また、監視制御する施設が中央から離れた遠隔地にある場合には、テレメータ装置と呼ばれる装置を用いて監視制御を行うことが多い。しかし、施設が小規模で、かつ広域に点在しているような場合には、各施設に対してテレメータ装置(子局)を設置し、それらのテレメータ装置と情報をやり取りするテレメータ装置(親局)が必要となることから、監視する規模に対して、比較的割高なシステムとなる。
【０００４】
近年の市町村合併を契機とした上下水道事業の統合化が進んでおり、このような小規模かつ広域に有する施設を効率的に監視したいというニーズは高まっている。このような中、テレメータを用いずに無線網を利用した上下水道施設の監視を行うシステムも出てきている。例えば、特許文献１にあるようなシステムが公知となっている。
【特許文献１】特開２００２−１３２３３５号公報
【発明の開示】
【発明が解決しようとする課題】
【０００５】
しかしながら、特許文献１にあるようなシステムにおいても、現場施設側と監視制御を行う側との間の各種データの授受のためのハードウエアおよびソフトウエアが必要となり、小規模かつ広域に点在する施設を有する複数のユーザを統合したシステムを構築しようとすると、ユーザ毎にデータ形式等が異なったものとなるため、システムが複雑で高価なものとなるという問題点があった。
【０００６】
そこで、本発明は、小規模かつ広域に点在する施設を有する複数のユーザに対して、これらの施設を安価にかつ効率的に監視することを可能にするためのデータ収集システム、及びサービス情報提供システムを提供することを目的とする。
【課題を解決するための手段】
【０００７】
本発明に係るサービス情報提供システムは、
現場の各施設の状態に関するデータを収集する複数のデータ収集装置と、
第１の通信網を介して複数のデータ収集装置の各々と接続され、データ収集装置から送信されたデータを受信し、所定の領域に格納する第１のサーバと、
第１のサーバに格納されたデータを取り出し、サービス情報として加工する第２のサーバと、
第２の通信網を介して接続されたサービス情報閲覧用端末からのサービス情報の閲覧要求を受け付け、第２のサーバからサービス情報を取得して、サービス情報閲覧用端末にサービス情報を提供する第３のサーバと
を備え、
複数のデータ収集装置の各々は、収集したデータを、データの種別（デジタル信号のデータ、アナログ信号のデータ、パルス信号のデータというようなデータの種類）及び種別毎のデータの点数が固定された固定長のデータとして、１つのパケット中に含めて前記第１のサーバに送信するものであることを特徴とする。
【０００８】
また、本発明に係るサービス情報提供システムは、
現場の各施設の状態に関するデータを収集するとともに現場の各施設に指令データを出力する複数のデータ収集及び出力装置と、
第１の通信網を介して複数のデータ収集及び出力装置の各々と接続される第１のサーバと、
第１のサーバに接続される第２のサーバと、
第２のサーバに接続される第３のサーバと、
第２の通信網を介して第３のサーバに接続されるサービス情報閲覧及び操作用端末と
を備え、
第１のサーバは、データ収集及び出力装置から送信されたデータを受信し、所定の領域に格納するとともに、第２のサーバから供給された指令データをデータ収集及び出力装置に送信するものであり、
第２のサーバは、第１のサーバに格納されたデータを取り出し、サービス情報として加工するとともに、第３のサーバから供給される指令情報に基づいて指令データを作成し、第１のサーバに供給するものであり、
第３のサーバは、サービス情報閲覧及び操作用端末からのサービス情報の閲覧要求を受け付け、第２のサーバからサービス情報を取得して、サービス情報閲覧及び操作用端末にサービス情報を提供するとともに、サービス情報閲覧及び操作用端末からの指令情報を受け付け、受け付けた指令情報を第２のサーバに供給するものであり、
かつ、複数のデータ収集及び出力装置の各々は、収集したデータを、データの種別及び種別毎のデータの点数が固定された固定長のデータとして、１つのパケット中に含めて第１のサーバに送信し、第１のサーバは、指令データを、データの種別及び種別毎のデータの点数が固定された固定長の指令データとして、１つのパケット中に含めてデータ収集及び出力装置に送信することを特徴とする。
【０００９】
また、本発明に係るデータ収集システムは、
現場の各施設の状態に関するデータを収集する複数のデータ収集装置と、
通信網を介して前記複数のデータ収集装置の各々と接続され、データ収集装置から送信されたデータを受信し、所定の領域に格納するサーバと
を備え、
複数のデータ収集装置の各々は、収集したデータを、データの種別及び種別毎のデータの点数が固定された固定長のデータとして、１つのパケット中に含めてサーバに送信するものであることを特徴とする。
【発明の効果】
【００１０】
本発明によれば、小規模かつ広域に点在する施設を有する複数のユーザに対して、これらの施設を安価にかつ効率的に監視することを可能にするサービス情報を提供することが可能となる。
【発明を実施するための最良の形態】
【００１１】
以下、図面を参照して本発明の実施形態について詳細に説明する。なお、以下の図において、同符号は同一部分または対応部分を示す。
【００１２】
（第１の実施形態）
本発明の第１の実施形態に係るサービス情報提供システムの構成を図１に示す。
【００１３】
同図において、データ収集（及び出力）装置１０１は、現場施設にある機器やセンサに接続することにより、機器の運転／停止、故障といったデジタル信号データ、流量、水位、電流、電圧等といったアナログ信号データの収集を行う。データ収集（及び出力）装置１０１で収集した各種データは、データ収集（及び出力）装置１０１に接続した通信装置１０２よりパケット通信網１０を介してデータ収集（及び出力）サーバ２へと送信される。このデータ収集サーバ２では、複数のデータ収集（及び出力）装置１０１からの各種データを収集・管理する。アプリケーションサーバ１では、データ収集（及び出力）サーバ２で収集したデータをサービス情報として加工する機能を有する。サービス情報閲覧（及び操作）端末２０１は、インターネット網２０を介してＷｅｂサーバ３へ接続することにより、自関連地域内の現場施設に関連したサービス情報を閲覧することができる。Ｗｅｂサーバ３とアプリケーションサーバ１とは、サービス情報閲覧（及び操作）端末２０１からの要求に応じて、必要なデータの授受を行う。また、アプリケーションサーバ１で検知した機器の故障等の情報は、メールサーバ６から各ユーザが所有する携帯電話等にメールで通知することが可能である。なお、４はルータ、５はファイアウオールルータ、７はＬＡＮである。
【００１４】
各データ収集（及び出力）装置１０１は、例えば、デジタル信号１６点、アナログ信号４点、パルス信号４点というように、基本的に管理する信号の種類（デジタル信号、アナログ信号、パルス信号というような信号の種類）及び種類毎の点数が固定である。このようなデータ収集（及び出力）装置１０１が、複数の自治体における広域に点在する現場施設に設置されることになる。接続するデータ収集（及び出力）装置１０１の数が多くなった場合には、データ収集（及び出力）サーバ２を適宜増設することにより対応することが可能である。
【００１５】
図２は、本システムにおけるデータ登録の概念を示す図である。例えば、Ａ町については、複数のポンプ場に対してそれぞれデータ収集（及び出力）装置が設けられ、データ収集（及び出力）装置で収集されたデータは、パケット通信網１０を介してデータ収集（及び出力）サーバ２へと送信され、サーバ２内のＡ町向け登録用に割り当てられた所定の領域に格納される。同様に、Ｂ町、…、Ｎ市についても、複数のマンホールポンプ、…、配水池に対してそれぞれデータ収集（及び出力）装置が設けられ、データ収集（及び出力）装置で収集されたデータは、パケット通信網１０を介してデータ収集（及び出力）サーバ２へと送信され、サーバ２内のＢ町、…、Ｎ市向け登録用にそれぞれ割り当てられた所定の領域に格納される。アプリケーションサーバ１は、必要に応じてデータ収集（及び出力）サーバ２に格納されたデータを取り出してサービス情報への加工を行う。
【００１６】
各データ収集（及び出力）装置１０１に接続する機器、センサの信号情報、またデータ収集装置１０１がどのエリアに属しているかといった情報は、データ収集（及び出力）サーバ２で保持する。例えば、図３に、データ収集サーバ２における、あるデータ収集（及び出力）装置１０１に対応する設定データの一例を示す。データ収集（及び出力）装置１０１は、データ収集（及び出力）サーバ２と通信を行う上で必要な設定(例えば、データ収集（及び出力）装置１０１自身のＩＰアドレス、およびデータ収集（及び出力）サーバ２のＩＰアドレス、等)以外の情報を保持しないようにする。すなわち、各データ収集（及び出力）装置１０１からデータ収集（及び出力）サーバ２に送信されるパケットは、発信元ＩＰアドレス（＝データ収集（及び出力）装置１０１自身のＩＰアドレス）、宛先ＩＰアドレス（＝データ収集（及び出力）サーバ２のＩＰアドレス）、及び固定長のデータ（デジタル信号１６点（２バイト）、アナログ信号４点（８バイト）、パルス信号４点（８バイト）からなるデータ）を１パケットとし、（パリティ用のデータは別として）これ以外の情報は含まない。
【００１７】
このように、いずれのデータ収集（及び出力）装置１０１に対しても、データの種別及び種別毎のデータの点数が固定された同一の固定長のデータが使用されることにより、データ収集（及び出力）サーバ２では、データ収集（及び出力）装置１０１がいろいろな自治体の施設に設置されていたとしても、特にユーザの違いを意識することはなく、すべてのデータ収集（及び出力）装置１０１が同列の扱いとなる。データ収集（及び出力）装置１０１がいろいろな自治体の施設へ設置される場合、その現場への設置もいろいろな業者により行われることが想定される。多くの業者が現場への設置等の対応を行うためには、各施設固有のエンジニアリング要素をできるだけ削減することが望ましい。データ収集（及び出力）装置１０１において各施設の固有の情報を保持しないことで、現場側のエンジニアリングのコストを大幅に削減することが可能である。
【００１８】
すなわち、各データ収集（及び出力）装置１０１においては、ＤＩ０１〜ＤＩ１６のデジタル入力信号、ＡＩ０１〜ＡＩ０４のアナログ入力信号、及びＰＩ０１〜ＰＩ０４のパルス信号のそれぞれに対応した信号入力端子を設けておけば、各信号入力端子から得られた入力信号を取り込んで１つのパケットのデータとするだけでよく、例えば１番目の信号入力端子からのデジタル入力信号が、１号配水ポンプの運転／停止のデータであることを示すデータ（施設固有のデータ）を付加して送信する必要はない。データ収集（及び出力）サーバ２においては、受信したパケットのデータが固定長であるため、データ収集（及び出力）装置１０１毎（発信元ＩＰアドレス毎）に、ＤＩ０１〜ＤＩ１６のデジタル入力信号、ＡＩ０１〜ＡＩ０４のアナログ入力信号、ＰＩ０１〜ＰＩ０４のパルス入力信号がそれぞれ何に関するデータであるかを判別するテーブル（図３参照）を用意しておくことにより、受信したパケットの発信元ＩＰアドレスに対するテーブルを参照して、受信したパケットのＤＩ０１〜ＤＩ１６のデジタル入力信号、ＡＩ０１〜ＡＩ０４のアナログ入力信号、ＰＩ０１〜ＰＩ０４のパルス入力信号が何に関するデータを示すものであるかを判別することができる。なお、データ収集（及び出力）装置１０１の信号入力端子のうち、何も接続されておらず、信号が入力されない信号入力端子については、そのデータは０とすればよい。
【００１９】
データ収集（及び出力）装置１０１で収集した各種データをデータ収集（及び出力）サーバ２へと送信するタイミングとしては、（１）データ収集（及び出力）装置１０１に接続する機器で何らかのイベントが発生した場合、（２）データ収集（及び出力）装置１０１からある一定周期でデータを送信する場合、（３）データ収集（及び出力）サーバ２からデータ収集（及び出力）装置１０１へある一定周期でデータの要求があった場合、（４）データ収集（及び出力）サーバ２からデータ収集（及び出力）装置１０１へ任意にデータの要求があった場合等があげられる。
【００２０】
これらのタイミングは、データ収集（及び出力）装置１０１、もしくはデータ収集（及び出力）サーバ２で設定を行うことが可能である。例えば、（１）においては、機器の故障発生の場合のみ、機器の故障発生時と運転／停止発生時ともにといった設定が可能である。また、（２）または（３）においては、１時間、３時間、６時間、１２時間、１日、等といった設定が可能である。
【００２１】
サービス情報閲覧（及び操作）端末２０１を閲覧するユーザには、１日に比較的多くの回数を閲覧するユーザもいれば、１日に１、２回しか閲覧しないというユーザもいるものと考えられる。データの収集あるいは更新の頻度をあげることは、やり取りするデータ量（パケット数）も増大することとなり、パケット利用料金もそれだけ増大することとなる。したがって、各ユーザに対して各ユーザの使用方法にあった設定を行うことで、各ユーザのサービス利用料に差をつけることも可能である。
【００２２】
なお、特許文献１では、コントローラと監視制御サーバ側との回線を常に接続状態にしておいても、パケット量(通信料)に応じて課金されるのみであるため、必要以上に通信費が高騰することがないとの記載がある。しかし、接続するコントローラ数が非常に多くなる場合には、すべての接続状態を維持すると監視制御サーバ側の通信回線の通信速度は低下するため、通信速度をできるだけ維持することを考えると、接続状態を維持しておくことは必ずしも必要ではない。本実施形態においては、データ収集（及び出力）装置１０１とデータ収集（及び出力）サーバ２とは常時接続としてもよいし、パケットを送信するときのみ接続することとしてもよい。
【００２３】
また、データ収集（及び出力）装置１０１を設置する台数は、各ユーザがそれぞれ管理する施設数によって変わってくる。例えば、配水池を３箇所監視するユーザもいれば、マンホールポンプを５０箇所監視するユーザもいるものと考えられる。したがって、データ収集（及び出力）装置１０１を設置する台数に応じて、各ユーザのサービス利用料を設定することも可能である。
【００２４】
このようなシステムにより、現場に小規模かつ広域に点在する施設を有する複数のユーザに対して、これらの施設を安価にかつ効率的に監視することを可能にするサービス情報を提供することが可能となる。なお、前記に記載したサービス情報は、各施設の運用状況を示す監視情報に限ったものではなく、施設の監視や運用を行う上でより有用な情報の提供も行うことが可能である。このようなサービス情報の加工についてもアプリケーションサーバ１にて実現されるものである。
【００２５】
また、本実施形態では、上下水道施設を対象として記述しているが、データ収集（及び出力）装置１０１が設置できるような箇所であれば、特に上下水道施設に限定されるものではない。
【００２６】
以上説明したように、本実施形態により実現される効果として、下記の点があげられる。
【００２７】
（１）ユーザは、高価な設備やシステムを有することなく、現場に小規模かつ広域に点在する施設を効率的に監視することが可能となる。
【００２８】
（２）データ収集（及び出力）装置それぞれに施設固有の情報を登録する必要がないため、エンジニアリングコストの削減が可能となる。
【００２９】
（３）情報を更新する頻度、データ収集（及び出力）装置を設置する台数を各ユーザのニーズに合わせて設定することで、より良いサービス情報の提供が可能となる。
【００３０】
（第１の実施形態の変形例）
上述の説明では、１パケットで送信するデータは固定長とし、ＤＩ０１〜ＤＩ１６のデジタル入力信号、ＡＩ０１〜ＡＩ０４のアナログ入力信号、ＰＩ０１〜ＰＩ０４のパルス入力信号を送信する場合について説明した。
【００３１】
しかし、上述のような１パケットの送信で、現在値データを送信することに加えて、例えばＡＩ０１〜ＡＩ０４のアナログ入力信号については、ある期間のデータを時系列的に送信したい場合がある。この場合は、データ収集（及び出力）装置１０１において、例えばＡＩ０１〜ＡＩ０４のアナログ入力信号を複数時点分例えば４時点分蓄積しておき、アナログ信号４点（８バイト×４）を固定長のデータとしたものを送信することとしてもよい。ただし、この場合、現在値データのパケットと、時系列的データのパケットの２種類のパケットが送信されることになるので、いずれのパケットであるかを区別する必要がある。したがって、データ収集（及び出力）装置１０１は、発信元ＩＰアドレス（＝データ収集（及び出力）装置１０１自身のＩＰアドレス）、宛先ＩＰアドレス（＝データ収集（及び出力）サーバ２のＩＰアドレス）の後に、現在値データのパケットが送信されるのか、時系列的データのパケットが送信されるのかを示す識別データを入れた識別パケットをまず送信し、その後、現在値データのパケット、または時系列的データのパケットを送信することとすればよい。このようにすることにより、データ収集（及び出力）サーバ２においては、あるデータ収集（及び出力）装置１０１からは、現在値データのパケットと、時系列的データのパケットのいずれが送信されて来るかを識別し、処理することができる。
【００３２】
（第２の実施形態）
次に、図１を参照して、本発明の第２の実施形態に係るサービス情報提供システムについて説明する。
【００３３】
この第２の実施形態は、上述の第１の実施形態のサービス情報提供システムにおいて、サービス情報閲覧（及び操作）端末２０１で自関連地域内の現場施設に関連したサービス情報を閲覧した後、サービス情報閲覧（及び操作）端末２０１から現場施設にある機器に指令を送ることができるようにしたものである。
【００３４】
すなわち、サービス情報閲覧（及び操作）端末２０１の画面で、現場施設の状況を閲覧したユーザが、画面上で操作を行うことにより、現場施設にある機器の動作を制御するための指令情報が、インターネット網２０を介してＷｅｂサーバ３に送信される。Ｗｅｂサーバ３で受信した指令情報は、アプリケーションサーバ１に送られる。これに基づきアプリケーションサーバ１は指令データを作成する。この指令データはデータ収集（及び出力）サーバ２に送られ、データ収集（及び出力）サーバ２からパケット通信網１０を介してデータ収集（及び出力）装置１０１へ送信される。
【００３５】
この場合、指令データが現場施設のどの機器に対してどういう動作を行わせるためのものであるかという情報等は、データ収集（及び出力）サーバ２で保持する。例えば、図４に、データ収集サーバ２における、あるデータ収集（及び出力）装置１０１に対応する設定データの一例を示す。各データ収集（及び出力）サーバ２からデータ収集（及び出力）装置１０１に送信されるパケットは、発信元ＩＰアドレス（＝データ収集（及び出力）サーバ２のＩＰアドレス）、宛先ＩＰアドレス（＝宛先となるデータ収集（及び出力）装置１０１のＩＰアドレス）、及び固定長の指令データ（デジタル信号８点（１バイト）からなるデータ）を１パケットとし、（パリティ用のデータは別として）これ以外の情報は含まない。
【００３６】
各データ収集（及び出力）装置１０１においては、ＤＯ０１〜ＤＯ０８のデジタル出力信号のそれぞれに対応した信号出力端子を設けておけば、受信した１つのパケットのデータを対応する各信号出力端子に供給し、各信号出力端子から指令データを出力させればよい。
【００３７】
このことにより、データ収集（及び出力）サーバ２では、データ収集装置１０１がいろいろな自治体の施設に設置されていたとしても、特にユーザの違いを意識することはなく、すべてのデータ収集（及び出力）装置１０１が同列の扱いとなる。また、指令データが現場施設のどの機器に対してどういう動作を行わせるためのものであるかという情報（施設固有の情報）等は、各データ収集（及び出力）装置１０１では必要としないため、現場側のエンジニアリングのコストを大幅に削減することができる。
【図面の簡単な説明】
【００３８】
【図１】本発明の第１の実施形態に係るサービス情報提供システムの構成を示すブロック図。
【図２】本発明の第１の実施形態におけるデータ登録の概念を示す図。
【図３】本発明の第１の実施形態において、データ収集（及び出力）サーバにおける、あるデータ収集（及び出力）装置に対応する収集データの設定データの一例を示す図。
【図４】本発明の第２の実施形態において、データ収集（及び出力）サーバにおける、あるデータ収集装置に対応する指令データの設定データの一例を示す図。
【符号の説明】
【００３９】
1…アプリケーションサーバ
２…データ収集（及び出力）サーバ
３…Ｗｅｂサーバ
４…ルータ
５…ファイアウオールルータ
６…メールサーバ
７…ＬＡＮ
１０…パケット通信網
２０…インターネット網
１０１…データ収集（及び出力）装置
１０２…通信装置
２０１・・・サービス情報閲覧（及び操作）端末
【図１】
2008003881.tif 000003
【図２】
2008003881.tif 000004
【図３】
2008003881.tif 000005
【図４】
2008003881.tif 000006